(57)【要約】    【構成】  蓋１０は、天板１２と、当該天板１２に形成される切欠部１４とを備え、縦管１０２の上端開口部１０４に装着されて、縦管１０２内への異物の侵入を防止する。天板１２は、たとえば円板状に形成され、縦管１０２の上端開口部１０４を上方から覆う。切欠部１４は、天板１２の外周縁を内方に向けて切り欠くようにして形成され、切欠部１４には、縦管１０２の内部と外部とにまたがる連通体５０が挿通される。天板１２には、当該天板１２の外周縁に沿って、嵌合部１６が形成される。嵌合部１６は、たとえば、その周壁の一部が切欠部１４によって分断された、略短円筒形状を有しており、縦管１０２の上端に嵌り合う。嵌合部１６の外周には、縦管１０２の上端に対する抜け止めとして機能するゴム部材２６が設けられる。    【効果】  たとえ縦管の内部と外部とにまたがる連通体がある場合であっても、縦管の上端開口部に対して容易に蓋を着脱することができる。したがって、施工性に優れる。【選択図】図２
2010007679.tif 000002
【特許請求の範囲】
【請求項１】
縦管の上端開口部に装着する縦管用の蓋であって、
前記上端開口部を上方から覆う天板、
前記天板の外周縁に沿って形成され、前記縦管の上端に嵌り合う嵌合部、
前記天板の外周縁から内方に向けて形成され、前記嵌合部を分断する切欠部、および
前記嵌合部の外周に設けられるゴム部材を備える、縦管用の蓋。
【請求項２】
前記天板に形成され、前記嵌合部と同方向に突出する突出部、および
前記嵌合部の外周側と内周側とを連通する通し部をさらに備え、
前記ゴム部材は、環状に形成され、前記嵌合部の外周から前記通し部を通して前記突出部に引っ掛けられる、請求項１記載の縦管用の蓋。
【請求項３】
前記突出部は、前記天板の面内において、前記切欠部の外周縁に沿って形成される、請求項２記載の縦管用の蓋。
【発明の詳細な説明】
【技術分野】
【０００１】
この発明は、縦管用の蓋に関し、特にたとえば、縦管の上端開口部に装着する縦管用の蓋に関する。
【背景技術】
【０００２】
本件出願人は、平成１９年８月２７日付で特許出願された特願２００７−２１９３０１号において、地下灌漑システムを提案している。この地下灌漑システムにおける水位管理器では、縦管の内部に管理器本体が収容され、当該縦管の上端部の開口（上端開口部）から挿入される本管（給水管）と管理器本体とが接続される。しかしながら、縦管の上端部は、本管を挿通できるように常時開口しているので、縦管内には、落ち葉や砂埃などの異物が溜まり易い。ここで、縦管内に異物が溜まると、水位管理器がその機能を適切に維持できなくなる恐れがあるので、定期的な点検および清掃を実施して、縦管内に侵入した異物を適宜除去する必要があり、維持管理に手間がかかる。このため、何らかの手段を用いて縦管内への異物の侵入を防止する必要があると思われる。
【０００３】
縦管内への異物の侵入を防止するための対策として、縦管の上端開口部に蓋を装着し、その蓋に本管を挿通させるための挿通部（孔）を形成することが考えられる。しかし、このような蓋は、既に縦管内に本管が挿入されていると、当該縦管の上端開口部に蓋を取り付けることができない。また、蓋を装着した後で、その蓋の挿通部に本管を挿通させても、縦管の上端開口部から蓋を取り外すことが困難になる。
【０００４】
一方、開口部に挿入される管を考慮した蓋として、複数のパーツで構成される蓋が特許文献１に開示されている。蓋は、複数のパーツによって構成されており、それぞれのパーツには、切欠部が形成されている。そして、複数のパーツに形成されている各切欠部を符合させることによって、枡本体の内部と外部とを連通する連通部（孔）が形成され、この通し部から枡本体内の配管等が床上に引き出される。
【特許文献１】特開平１０−２９９９８０号［Ｆ１６Ｌ  ５７／００］
【発明の開示】
【発明が解決しようとする課題】
【０００５】
特許文献１の技術では、たとえ枡本体内の配管等が床上に引き出されている状態であっても、それぞれの切欠部で配管等を囲むようにして、蓋を構成しているパーツの１つ１つを配置することによって、当該蓋を枡本体の開口部に取り付けることができる。また、たとえ連通部に配管等が挿通されている状態であっても、蓋を構成しているパーツの１つ１つを取り外すことによって、当該蓋を枡本体の開口部から取り外すことができる。しかしながら、特許文献１の技術を縦管に適用しても、蓋が複数のパーツによって構成されているため、部品点数が多くなってしまい、蓋の着脱に手間と時間がかかる。
【０００６】
さらに、特許文献１の技術では、床上に引き出されている配管等が動いた場合には、その衝撃によって、蓋を構成するパーツが散らばったり、蓋自体が開口部から外れたりする恐れがある。したがって、特許文献１の技術を縦管に適用しても、縦管の上端開口部を適切に塞ぐことができない。
【０００７】
それゆえに、この発明の主たる目的は、新規な、縦管用の蓋を提供することである。
【０００８】
この発明の他の目的は、施工性に優れる、縦管用の蓋を提供することである。
【０００９】
この発明のさらに他の目的は、縦管の上端開口部を適切に塞ぐことができる、縦管用の蓋を提供することである。
【課題を解決するための手段】
【００１０】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【００１１】
第１の発明は、縦管の上端開口部に装着する縦管用の蓋であって、上端開口部を上方から覆う天板、天板の外周縁に沿って形成され、縦管の上端に嵌り合う嵌合部、天板の外周縁から内方に向けて形成され、嵌合部を分断する切欠部、および嵌合部の外周に設けられるゴム部材を備える、縦管用の蓋である。
【００１２】
第１の発明では、蓋（１０）は、天板（１２）と、当該天板に形成される切欠部（１４）とを備え、縦管（１０２）の上端開口部（１０４）に装着されて、縦管内への異物の侵入を防止する。天板は、たとえば円板状に形成され、縦管の上端開口部を上方から覆う。切欠部は、天板の外周縁を内方に向けて切り欠くようにして形成され、切欠部には、縦管の内部と外部とにまたがる連通体（５０）が挿通される。天板の下面には、当該天板の外周縁に沿って、嵌合部（１６）が形成される。嵌合部は、たとえば、その周壁の一部が切欠部によって分断された略短円筒形状を有しており、縦管の上端開口部に嵌り合う。嵌合部の外周には、縦管の上端に対する抜け止めとして機能するゴム部材（２６）が設けられる。
【００１３】
第１の発明によれば、たとえ縦管の内部と外部とにまたがる連通体がある場合であっても、縦管の上端開口部に対して容易に蓋を着脱することができる。したがって、施工性に優れる。また、蓋が縦管の上端に抜け止めされるため、縦管の上端開口部を適切に塞ぐことができる。
【００１４】
第２の発明は、第１の発明に従属し、天板に形成され、嵌合部と同方向に突出する突出部、および嵌合部の外周側と内周側とを連通する通し部をさらに備え、ゴム部材は、環状に形成され、嵌合部の外周から通し部を通して突出部に引っ掛けられる。
【００１５】
第２の発明では、天板（１２）には、嵌合部（１６）と同方向に突出する突出部（２２）が形成される。また、嵌合部（１６）には、通し部（２０）が形成される。通し部は、たとえば嵌合部の周壁の一部を分断して、当該嵌合部の内面側と外面側とを連通し、実施例では、２つの通し部が切欠部（１４）を挟んで対称に形成される。ゴム部材（２６）は、円環状に形成され、その一部分を嵌合部の外周から通し部を通して突出部に引っ掛けられることによって、嵌合部の外周に固定的に設けられる。
【００１６】
第２の発明によれば、ゴム部材を、自身の張力によって、嵌合部の外周面に固定することができる。したがって、たとえばビスや木ネシ等を使用する場合と比較して、施工性に優れる。
【００１７】
第３の発明は、第２の発明に従属し、突出部は、天板の面内において、切欠部の外周縁に沿って形成される。
【００１８】
第３の発明では、突出部（２２）は、天板（１２）の面内において、切欠部（１４）の外周縁に沿って形成される。このため、たとえ切欠部に連通体（５０）が挿通されても、連通体とゴム部材（２６）とが干渉することがない。
【発明の効果】
【００１９】
この発明によれば、たとえ縦管の内部と外部とにまたがる連通体がある場合であっても、縦管の上端開口部に対して容易に蓋を着脱することができるため、施工性に優れる。
【００２０】
さらに、この発明によれば、蓋が縦管の上端に抜け止めされるため、縦管の上端開口部を適切に塞ぐことができる。
【００２１】
この発明の上述の目的，その他の目的，特徴および利点は、図面を参照して行う以下の実施例の詳細な説明から一層明らかとなろう。
【発明を実施するための最良の形態】
【００２２】
図１および図２を参照して、この発明の一実施例である蓋１０は、天板１２と、当該天板１２に形成される切欠部１４とを備えており、縦管の上端開口部に装着されて、縦管内への異物の侵入を防止する。
【００２３】
図１および図２に示すように、この実施例では、蓋１０は、地下灌漑システム２００に適用され、圃場の水位を管理する水位管理器１００における縦管１０２の上端開口部１０４に装着されるが、これに限定される必要はない。
【００２４】
なお、水位管理器１００は、圃場への給水機能を主として有する給水水位管理器１３０と、圃場からの排水機能を主として有する排水水位管理器１７０とを含む概念である。以下には、一例として、給水水位管理器１３０における縦管１０２の上端開口部１０４に装着する蓋１０について説明する。
【００２５】
図３に示すように、給水水位管理器１３０は、貯水機能を有する縦管１０２、および縦管１０２の内部に収容される管理器本体１３２を含み、縦管１０２内の水位に応じて、送水管１１０から地中に埋設した給水管１５０への水の供給を調整するものである。
【００２６】
縦管１０２は、塩化ビニルなどの合成樹脂によって、有底円筒状に形成される。縦管１０２の上端は開口しており、その上端開口部１０４から送水管１１０が挿入されて、送水管１１０と管理器本体１３２とが接続される。換言すると、送水管１１０は、この実施例の縦管１０２における、縦管１０２の内部と外部とにまたがる連通体５０である。また、縦管１０２の側壁下部には給水管接続部１０６が形成され、この給水管接続部１０６に給水管１５０が接続される。
【００２７】
管理器本体１３２としては、本願出願人が先に出願した特願２００７−８３８２５号において提案したものを使用することができる。
【００２８】
具体的には、管理器本体１３２は、軸部１３４を含み、軸部１３４は、金属または合成樹脂などによって直管状に形成される。軸部１３４の一端部分は、送水管１１０と管理器本体１３２とを接続するための接続部分である。また、軸部１３４の他端は、後述する弁体１４４を受ける弁座１３６として用いられ、その他端の開口は、縦管１０２内に水を供給する給水口１３８として用いられる。
【００２９】
また、管理器本体１３２は、軸固定具１４０およびフロート１４２を備え、これらは軸部１３４の周囲に配置される。軸固定具１４０は、軸部１３４の上部および下部のそれぞれに取り付けられて、軸部１３４が傾くことを防止する。
【００３０】
フロート１４２は、給水口１３８の上方に配置されて、縦管１０２内の水位変動に応じて上昇および下降する浮標であり、塩化ビニル等の合成樹脂によって中空リング状に形成される。フロート１４２の中心部を貫通するように形成される孔には、軸部１３４が挿通され、フロート１４２は、軸部１３４に沿って移動（上昇および下降）する。また、フロート１４２には、給水口１３８の下方に配置され、当該給水口１３８を開閉する弁体１４４が連結される。
【００３１】
このような給水水位管理器１３０では、送水管１１０に送水された水を給水口１３８から縦管１０２内に給水すると、縦管１０２内に用水が溜まり、その水面にフロート１４２が浮いて、鉛直に設けられる送水管１１０をガイドとして水位変動に連動してフロート１４２は上下動する。そして、フロート１４２が上昇すると、弁体１４４が弁座１３６と当接して給水口１３８を閉じて、圃場の地中に埋設されている給水管１５０への給水を止める。一方、フロート１４２が下降すると、弁体１４４が弁座１３６から離れて給水口１３８を開いて、縦管１０２への給水を行い、給水管１５０から圃場に供給される。
【００３２】
図４―図８に示すように、蓋１０は、金属および合成樹脂などによって略円板状に形成される天板１２を備える。天板１２の外径は、縦管１０２の上端開口部１０４を覆うことができるように、当該縦管１０２の内径よりも大きく設定され、たとえば２２０ｍｍである。
【００３３】
天板１２の外周縁には、連通体５０を挿通させるための切欠部１４が形成され、この実施例では、切欠部１４に送水管１１０が挿通される。切欠部１４は、天板１２の外周縁を中心に向けて縦長な長方形状に切り欠くようにして形成され、上面視で略Ｕ字形状を有している。
【００３４】
また、天板１２には、当該天板１２の外周縁に沿って嵌合部１６が形成される。嵌合部１６は、その周壁の一部が切欠部１４と後述する通し部２０とによって分断された短円筒状に形成され、天板１２の下面から下方向に向けて突出する。嵌合部１６は、縦管１０２の上端に嵌り合う部位であり、その外径は、縦管１０２の内径に合わせて適宜設定され、たとえば２００ｍｍである。嵌合部１６の外周面には、ゴム溝１８が形成され、このゴム溝１８に後述するゴム部材２６が設けられる。
【００３５】
また、嵌合部１６には、嵌合部１６の周壁の一部を分断して、当該嵌合部１６の内面側と外面側とを連通する通し部２０が形成される。通し部２０は、切欠部１４の近傍に形成され、２つの通し部２０が切欠部１４を挟んで対称に形成される。
【００３６】
さらに、天板１２には、嵌合部１６と同方向に突出する突出部２２が形成される。突出部２２は、天板１２の面内において、切欠部１４の外周縁に沿って形成され、当該天板１２の下面から下方向に向けて突出する。
【００３７】
また、天板１２の上面には、把持部２４が設けられる。把持部２４は、取手状に形成され、これによって縦管１０２の上端開口部１０４に対する蓋１０の着脱が容易にされる。
【００３８】
ゴム部材２６は、スチレンブタジエンゴム（ＳＢＲ）およびエチレンプロピレンゴム（ＥＰＤＭ）等のゴムによって円環状に形成される。ゴム部材２６は、縦管１０２の上端に対する抜け止めとして機能し、嵌合部１６の外周面に固定的に設けられる。具体的には、ゴム部材２６は、嵌合部１６のゴム輪溝１８に装着され、その切欠部１４の位置に該当する一部分が、通し部２０から嵌合部１６の内側に通されて、突出部２２に引っ掛けられる。これによって、ゴム部材２６は、自身の張力によって、嵌合部１６の外周面に固定される。
【００３９】
このような蓋１０を縦管１０２の上端開口部１０４に装着するには、先ず、縦管１０２の内部と外部とにまたがる連通体５０（送水管１１０）を切欠部１４に挿通し、そのまま縦管１０２の上端に嵌合部１６を嵌め合わせて、天板１２によって上端開口部１０４を上方から覆う。これにより、縦管１０２内への落ち葉や砂埃などの異物の侵入が防止され、給水水位管理器１３０がその機能を適切に維持することができる。
【００４０】
この実施例によれば、たとえ縦管１０２の内部と外部とにまたがる連通体５０（送水管１１０）がある場合であっても、容易に蓋１０を縦管１０２の上端開口部１０４に取り付けることができるとともに、容易に蓋１０を縦管１０２の上端開口部１０４から取り外すことができる。ここで、特許文献１に開示されているような、複数のパーツで構成した蓋では、蓋を自由に着脱できたとしても、施工に手間と時間がかかる等の問題が生じてしまう。これに対して、この実施例では、天板１２の外周縁から中心に向けて形成される切欠部１４に連通体５０が挿通されるため、蓋１０の構造を簡素化することができる。このため、たとえ縦管１０２の内部と外部とにまたがる連通体５０がある場合であっても、縦管１０２の上端開口部１０４に対して容易に蓋１０を着脱することができる。したがって、施工性に優れる。
【００４１】
さらに、この実施例によれば、嵌合部１６の外周面にゴム部材２６が設けられるため、縦管１０２の上端に対して蓋１０の抜け止めをすることができる。したがって、たとえ切欠部１４に挿通されている連通体５０が上下方向に動くことがあっても、縦管１０２の上端に対する蓋１０の抜け止めがされているため、当該縦管１０２の上端開口部１０４を適切に塞ぐことができる。また、台風等の暴風による外力が蓋１０に作用した場合であっても、蓋１０が飛ばされてしまうことがない。
【００４２】
さらにまた、この実施例によれば、ゴム部材２６は、円環状に形成され、その一部分が嵌合部１６の外周面から通し部２０を通って突出部２２に引っ掛けられる。このため、ゴム部材２６を、自身の張力によって、嵌合部１６の外周面に固定することができる。したがって、蓋１０の形状に合わせてゴム部材２６を加工する必要がない。また、ゴム部材２６をビスや木ネシ等を使用して蓋１０に固定する場合と比較して、より施工性に優れる。
【００４３】
さらにまた、この実施例によれば、突出部２２は、天板１２の面内において、切欠部１４の外周縁に沿って形成される。このため、たとえば連通体５０が切欠部１４に挿通されていても、当該連通体５０とゴム部材２６とが干渉することがない。
【００４４】
ところで、上述の実施例では、蓋１０は、給水水位管理器１３０における縦管１０２の上端開口部１０４に装着されて、その切欠部１４に送水管１１０が挿通された。以下には、一例として、排水水位管理器１７０における縦管１０２の上端開口部１０４に装着する蓋１０について説明する。
【００４５】
図９に示すように、排水水位管理器１７０は、貯水機能を有する縦管１０２、および縦管１０２の内部に収容される管理器本体１７２を含み、縦管１０２内の水位に応じて、地中に埋設された給水管１５０から排水管１９０への水の排出を調整するものである。
【００４６】
縦管１０２は、塩化ビニルなどの合成樹脂によって、有底円筒状に形成される。縦管１０２の側壁底部には、給水管１５０と接続される給水管接続部１０６が形成され、それより少し上方に排水管１９０と接続される排水管接続部１０８が形成される。縦管１０２の内部には、管理器本体１７２を受容するための受部１７４が形成される。受部１７４は、漏斗状に形成され、縦管１０２内面における給水管接続部１０６と排水管接続部１０８との間の位置（高さ）から斜め下方向に突出する傾斜部１７４ａと、当該傾斜部１７４ａの下端から延びる直管部１７４ｂとを含む。
【００４７】
管理器本体１７２は、縦管１０２における給水管接続部１０６から排水管接続部１０８への水の流れを堰き止めるために使用される部材であり、受部１７４に着脱可能に挿し込まれる下部パイプ１７８と、当該下部パイプ１７８内に軸方向に摺動可能に設けられる上部パイプ１７６とを含む。上部パイプ１７６は、軸方向の長さが下部パイプ１７８よりも少し長い管体であり、その上端開口の高さ位置が排水水位管理器１７０の設定する水位（設定水位）となる。下部パイプ１７８は、上部パイプ１７６よりも少し大きい径を有する管体であり、その外周面には、取手部品１８０が設けられる。
【００４８】
取手部品１８０は、下部パイプ１７８の外周に固定される２つの縦部材１８０ａと当該２つの縦部材１８０ａの上端を繋ぐ横部材１８０ｂとによって、略コ字状に形成される。取手部品１８０の最上部すなわち横部材１８０ｂの高さは、管理器本体１７２を最大に引き延ばした状態における上部パイプ１７６の最上部よりも高く配置されている。取手部品１８０は、この実施例の縦管１０２における、縦管１０２の内部と外部とにまたがる連通体５０であり、この取手部品１８０を作業者が把持することによって、作業者は管理器本体１７２を受部１７４に対して容易に抜き挿しすることができる。
【００４９】
このような排水水位管理器１７０では、給水管１５０から給水管接続部１０６（縦管１０２）に流入した水は、受部１７４に挿し込まれている管理器本体１７２の内部に溜まっていく。そして、管理器本体１７２内に溜まっていく水の水位が、予め設定しておいた上部パイプ１７６の上端開口の高さ（設定水位）を越えて上昇すると、その設定水位を越えた水が管理器本体１７２の外に溢れ出し、排水管接続部１０８（縦管１０２）から排水管１９０に排出される。また、排水時には、取手部品１８０を引き上げることによって、受部１７４に挿し込んでいる管理器本体１７２を取り外すと、給水管１５０から給水管接続部１０６に流入した水が、そのまま排水管接続部１０８から排水管１９０に排出される。
【００５０】
図１０―図１４に示すように、蓋１０は、金属および合成樹脂などによって略円板状に形成される天板１２を備える。天板１２の外径は、縦管１０２の上端開口部１０４を覆うことができるように、縦管１０２の内径よりも少し大きく設定され、たとえば１７０ｍｍである。
【００５１】
図１０―図１４に示すように、天板１２の外周縁には、縦管１０２の内部と外部とにまたがる連通体５０を挿通させるための切欠部１４が形成され、この実施例では、２つの切欠部１４の各々に取手部品１８０の縦部材１８０ａが挿通される。切欠部１４は、天板１２の外周縁を中心に向けて縦長な長方形状に切り欠くようにして形成され、２つの切欠部１４が、天板１２の中心を挟んで対称に配置される。
【００５２】
また、天板１２には、当該天板１２の外周縁に沿って嵌合部１６が形成される。嵌合部１６は、その周壁の一部が切欠部１４と後述する通し部２０とによって分断された短円筒状に形成され、天板１２の下面から下方向に向けて突出する。嵌合部１６の外径は、縦管１０２の内径に合わせて適宜設定され、たとえば１５０ｍｍである。嵌合部１６の外周面には、ゴム溝１８が形成され、このゴム溝１８に後述するゴム部材２６が設けられる。
【００５３】
嵌合部１６には、嵌合部１６の周壁の一部を分断し、当該嵌合部１６の内面側と外面側とを連通する通し部２０が形成される。通し部２０は、切欠部１４の近傍に形成され、２つの通し部２０が２つの切欠部１４の各々を挟んで対称に形成される。
【００５４】
さらに、天板１２には、嵌合部１６と同方向に突出する突出部２２が形成される。突出部２２は、天板１２の面内において、各々の切欠部１４の外周縁に沿って略Ｕ字状に形成され、天板１２の下面から下方向に向けて突出する。
【００５５】
また、天板１２の上面には、把持部２４が設けられる。把持部２４は、取手状に形成され、これによって縦管１０２の上端開口部１０４に対する蓋１０の着脱が容易にされる。
【００５６】
ゴム部材２６は、円環状に形成され、その一部分を嵌合部１６の外周面から通し部２０を通して突出部２２に引っ掛けられることによって、嵌合部１６の外周面に固定される。
【００５７】
このような蓋１０は、縦管１０２の上端開口部１０４に装着され、縦管１０２内への落ち葉や砂埃などの異物の侵入を防止する。
【００５８】
また、このような蓋１０には、たとえば排水時に、排水水位管理器１７０における管理器本体１７２が吊り下げられる。具体的には、図１５に示すように、管理器本体１７２を縦管１０２の内部に設けられた受部１７４から引き抜いて、その管理器本体１７２の取手部品１８０における２つの縦部材１８０ａを蓋１０の切欠部１４に挿通させる。そして、図１６に示すように、取手部品１８０の横部材１８０ｂを蓋１０の把持部２４の上に載せ、そのまま縦管１０２の上端に嵌合部１６を嵌め合わせて、天板１２によって上端開口部１０４を上方から覆う。これにより、管理器本体１７２を蓋１０に吊り下げた状態で、縦管１０２内に収容することができる。
【００５９】
この実施例によれば、たとえ縦管１０２の内部と外部とにまたがる連通体５０（取手部品１８０）がある場合であっても、縦管１０２の上端開口部１０４に対して容易に蓋１０を着脱することができ、さらに、切欠部１４に連通体５０が挿通された蓋１０を縦管１０２の上端開口部１０４に装着することで、たとえば排水時に、縦管１０２の受部１７４から管理器本体１７２を取り外した状態を維持することができる。このため、管理器本体１７２を縦管１０２から抜き出して、別途保管する必要がない。したがって、施工性に優れる。
【００６０】
なお、上述の各実施例ではいずれも、切欠部１４は、天板１２の外周縁を中心に向けて縦長な長方形状に切り欠くようにして形成されたが、これに限定される必要はない。天板１２の外周縁から内方に向けて形成されて、連通体５０を挿通させることができるのであれば、切欠部１４の形状は特に問わない。
【００６１】
また、上述の各実施例ではいずれも、突出部２２は、天板１２の面内において、切欠部１４の外周縁に沿って形成されたが、これに限定される必要はなく、ゴム部材２６と連通体５０とを干渉させることなく、通し部２０に通されたゴム部材２６の一部分を引っ掛けることができるのであれば、突出部２２の形状および配置位置は特に問わない。たとえば、図１７に示すように、切欠部１４の中心側の半円状の部分にのみ外周縁に沿って突出部２２を形成することもできる。また、たとえば、図１８に示すように、天板１２の中心に円柱形状を有する突出部２２を形成することもできる。ただし、図１７および図１８では、図３の実施例における蓋１０によって図示したが、図９の実施例における蓋１０でも同様である。
【００６２】
さらに、上述の各実施例ではいずれも、ゴム部材２６の一部分を嵌合部１６の外周面から通し部２０を通して突出部２２に引っ掛けることによって、ゴム部材２６を嵌合部１６の外周面に固定したが、これに限定される必要はない。たとえば、図１９に示すように、天板１２に突出部２２を設けずに、ビスや木ネジ等の固定具２８によって嵌合部１６の外周面に直接ゴム部材２６を固定してもよい。ただし、図１９では、図９の実施例における蓋１０によって図示したが、図３の実施例における蓋１０でも同様である。
【００６３】
さらにまた、上述の各実施例ではいずれも、蓋１０は、地下灌漑システム２００における水位管理器１００の縦管１０２に装着されたが、これに限定される必要はない。蓋１０は、その内部と外部とにまたがる連通体５０がある任意の縦管に適用することができる。
【００６４】
なお、上述した径や高さ等の具体的数値は、いずれも単なる一例であり、必要に応じて適宜変更可能である。
【図面の簡単な説明】
【００６５】
【図１】この発明の一実施例の蓋を適用する地下灌漑システムを示す図解図である。
【図２】図１の地下灌漑システムの縦断面構造を示す図解図である。
【図３】給水水位管理器の縦断面構造を示す図解図である。
【図４】図３の蓋を示す斜視図である。
【図５】図３の蓋を示す斜視図である。
【図６】図３の蓋を示す平面図である。
【図７】図３の蓋を示す平面図である。
【図８】図３の蓋を示す平面図である。
【図９】排水水位管理器の縦断面構造を示す図解図である。
【図１０】図９の蓋を示す斜視図である。
【図１１】図９の蓋を示す斜視図である。
【図１２】図９の蓋を示す平面図である。
【図１３】図９の蓋を示す平面図である。
【図１４】図９の蓋を示す平面図である。
【図１５】排水水位管理器の縦管に蓋を装着する様子を示す図解図である。
【図１６】排水時の排水水位管理器の縦断面構造を示す図解図である。
【図１７】この発明の別の実施例の蓋を示す斜視図である。
【図１８】この発明のさらに別の実施例の蓋を示す斜視図である。
【図１９】この発明のさらに別の実施例の蓋を示す斜視図である。
【符号の説明】
【００６６】
１０  …蓋
１２  …天板
１４  …切欠部
１６  …嵌合部
２０  …通し部
２２  …突出部
２６  …ゴム部材
５０  …連通体
１００  …水位管理器
１０２  …縦管
１０４  …上端開口部
１３０  …給水水位管理器
１７０  …排水水位管理器
２００  …地下灌漑システム
【図１】
2010007679.tif 000003
【図２】
2010007679.tif 000004
【図３】
2010007679.tif 000005
【図４】
2010007679.tif 000006
【図５】
2010007679.tif 000007
【図６】
2010007679.tif 000008
【図７】
2010007679.tif 000009
【図８】
2010007679.tif 000010
【図９】
2010007679.tif 000011
【図１０】
2010007679.tif 000012
【図１１】
2010007679.tif 000013
【図１２】
2010007679.tif 000014
【図１３】
2010007679.tif 000015
【図１４】
2010007679.tif 000016
【図１５】
2010007679.tif 000017
【図１６】
2010007679.tif 000018
【図１７】
2010007679.tif 000019
【図１８】
2010007679.tif 000020
【図１９】
2010007679.tif 000021